(57)【要約】【課題】入力端子間の短絡が安定して行えるカットアウト装置、標識灯用カットアウト装置および標識灯装置を提供する。【解決手段】標識灯用カットアウト装置５は、標識灯３の給電手段４に対して標識灯３と並列的に接続された全波整流装置２７と、全波整流装置２７の出力端子間に接続されたゲートＧ付きの双方向性または単方向性の半導体素子２９と、半導体素子２９に並列的に接続され、標識灯３のランプが不点になったときに給電手段４に作用する交流電圧に応動して半導体素子２９のゲートＧに電圧を供給して半導体素子２９を導通させるように構成された電圧応動制御回路２８を具備する。【選択図】図３
2006094418.tif 000002
【特許請求の範囲】
【請求項１】
全波整流装置と；
全波整流装置の出力端子間に接続されたゲート付きの双方向性または単方向性の半導体素子と；
半導体素子に並列的に接続され、全波整流装置の入力端子間に所定電圧以上の交流電圧が入力されたときに半導体素子のゲートに電圧を供給して半導体素子を導通させるように構成された電圧応動制御回路と；
を具備していることを特徴とするカットアウト装置。
【請求項２】
ゲート付きの双方向性または互いに逆方向に接続された一対の単方向性の半導体素子と；
半導体素子に並列的に接続され、半導体素子の両端間に所定電圧以上の交流電圧が入力されたときに半導体素子のゲートに電圧を供給して半導体素子を導通させるように構成された電圧応動制御回路と；
半導体素子に並列的に接続されるとともに半導体素子の熱に応動するように配設され、半導体素子の表面温度が所定値以上のときに導通するサーモスタットと；
を具備していることを特徴とするカットアウト装置。
【請求項３】
標識灯の給電手段に対して標識灯と並列的に接続された全波整流装置と；
全波整流装置の出力端子間に接続されたゲート付きの双方向性または単方向性の半導体素子と；
半導体素子に並列的に接続され、標識灯のランプが不点になったときに給電手段に作用する交流電圧に応動して半導体素子のゲートに電圧を供給して半導体素子を導通させるように構成された電圧応動制御回路と；
を具備していることを特徴とする標識灯用カットアウト装置。
【請求項４】
標識灯の給電手段に対して標識灯と並列的に接続されたゲート付きの双方向性または互いに逆方向に接続された一対の単方向性の半導体素子と；
半導体素子に並列的に接続され、標識灯のランプが不点になったときに給電手段に作用する交流電圧に応動して半導体素子のゲートに電圧を供給して半導体素子を導通させるように構成された電圧応動制御回路と；
半導体素子に並列的に接続されるとともに半導体素子の熱に応動するように配設され、半導体素子の表面温度が所定値以上のときに導通するサーモスタットと；
を具備していることを特徴とする標識灯用カットアウト装置。
【請求項５】
基台と；
基台に装着された標識灯と；
基台側に配設され、標識灯に接続して給電する給電手段と；
基台側に配設された請求項３または４記載の標識灯用カットアウト装置と；
を具備していることを特徴とする標識灯装置。
【発明の詳細な説明】
【技術分野】
【０００１】
本発明は、入力端子間を短絡するカットアウト装置、標識灯用カットアウト装置および標識灯装置に関する。
【背景技術】
【０００２】
例えば、空港の誘導路などの路面に沿って多数設置される標識灯は、通常、定電流源に対して直列接続されている。そして、直列接続のために１つの標識灯に球切れが発生すると他の標識灯も消灯することになるので、球切れが発生したときに標識灯の入力端子（給電端子）間を短絡することが行われている。この短絡を行わせるために、従来、標識灯のランプと並列的にフィルムカットアウトと呼ばれるセレン膜の逆耐電圧を利用した絶縁体が取り付けられている。しかし、近年、当該絶縁体に代わり、電子回路の標識灯用カットアウト装置が用いられている（例えば、特許文献１参照。）。
【０００３】
図５は、従来技術の標識灯用カットアウト装置（カットアウト装置）５０の回路図である。一対の入力端子ｔ１，ｔ２は、標識灯のランプと並列的に接続されている。そして、一対の入力端子ｔ１，ｔ２間にトライアックＴＲ１が接続され、さらに抵抗Ｒ１および抵抗Ｒ２の直列回路が接続されている。そして、抵抗Ｒ１および抵抗Ｒ２の中点Ａ１と、トライアックＴＲ１のゲートＧとの間にトリガーダイオードＴＤ１が接続されている。抵抗Ｒ１および抵抗Ｒ２の直列回路と、トリガーダイオードＴＤ１は、電圧応動制御回路２８を形成している。
【０００４】
標識灯のランプが不点になると、一対の入力端子ｔ１，ｔ２にランプ点灯時よりも高電圧が発生するようになる。そして、電圧応動制御回路２８の抵抗Ｒ２の両端電圧が所定値以上になると、トリガーダイオードＴＤ１が導通して、抵抗Ｒ２の両端電圧がトライアックＴＲ１のゲートＧに印加され、トライアックＴＲ１が導通する。トライアックＴＲ１が導通することにより、他の標識灯は、定電流電源に直列的に接続され、点灯を継続する。
【特許文献１】特開２００４−２０７０１０号公報（第６頁、第１図）
【発明の開示】
【発明が解決しようとする課題】
【０００５】
トライアックＴＲ１は、主電極Ｔ１，Ｔ２間に印加される電圧の極性と、ゲートＧに印加される電圧の極性によって、トリガー感度が相違するという特性を有する。
【０００６】
従来技術の標識灯用カットアウト装置（カットアウト装置）５０は、入力端子ｔ１，ｔ２間の電圧の極性によりトライアックＴＲ１のオンタイミングが異なり、入力端子ｔ１側が正電圧、入力端子ｔ２側が負電圧のときのオンタイミングは早く、入力端子ｔ１側が負電圧、入力端子ｔ２側が正電圧のときのオンタイミングは遅くなり、場合によっては、大幅に遅れることがある。すなわち、標識灯用カットアウト装置５０は、交流電圧が上昇する低電圧時に半波通電し、入力端子ｔ１，ｔ２間の短絡が安定しないことがある。半波通電すると、直列接続された他の標識灯のランプの明るさが減少するという問題が発生する。
【０００７】
また、標識灯用カットアウト装置５０は、標識灯などの密閉した空間に配置されているので、入力端子ｔ１，ｔ２間の短絡が長期間継続すると、トライアックＴＲ１に流れる電流により、トライアックＴＲ１が発熱して使用許容値以上に温度上昇することがある。このとき、トライアックＴＲ１の動作が不安定となって、入力端子ｔ１，ｔ２間の短絡を安定して行えないという問題がある。
【０００８】
本発明は、入力端子間の短絡が安定して行えるカットアウト装置、標識灯用カットアウト装置および標識灯装置を提供することを目的とする。
【課題を解決するための手段】
【０００９】
請求項１に記載のカットアウト装置の発明は、全波整流装置と；全波整流装置の出力端子間に接続されたゲート付きの双方向性または単方向性の半導体素子と；半導体素子に並列的に接続され、全波整流装置の入力端子間に所定電圧以上の交流電圧が入力されたときに半導体素子のゲートに電圧を供給して半導体素子を導通させるように構成された電圧応動制御回路と；を具備していることを特徴とする。
【００１０】
本発明および以下の各発明において、特に言及しない限り、各構成は以下による。
【００１１】
ゲート付きの双方向性の半導体素子は、例えばトライアックであり、ゲート付きの単方向性の半導体素子は、例えばサイリスタである。半導体素子は、全波整流装置の正極側から負極側に電流が流れるように接続される。
【００１２】
所定電圧は、当該電圧以上のときに電圧応動制御回路により半導体素子が導通され、当該電圧を下回るときに半導体素子が導通されない電圧値となっている。
【００１３】
本発明によれば、全波整流装置から出力される全波電圧により、半導体素子の主電極間、ゲートに印加される電圧の極性が常時同じにされているので、半導体素子のトリガー感度の相違によらず、半導体素子は安定して導通する。そして、半導体素子は、全波電圧の低電圧時においても安定して導通する。
【００１４】
請求項２に記載のカットアウト装置の発明は、ゲート付きの双方向性または互いに逆方向に接続された一対の単方向性の半導体素子と；半導体素子に並列的に接続され、半導体素子の両端間に所定電圧以上の交流電圧が入力されたときに半導体素子のゲートに電圧を供給して半導体素子を導通させるように構成された電圧応動制御回路と；半導体素子に並列的に接続されるとともに半導体素子の熱に応動するように配設され、半導体素子の表面温度が所定値以上のときに導通するサーモスタットと；を具備していることを特徴とする。
【００１５】
本発明によれば、半導体素子が導通して表面温度が所定値以上になると、サーモスタットが導通し、サーモスタットに電流が流れ、半導体素子に電流がほとんど流れず、半導体素子の温度上昇が防止される。そして、半導体素子の温度が低下すると、サーモスタットは導通しなくなり、再び半導体素子に電流が流れるようになる。
【００１６】
請求項３に記載の標識灯用カットアウト装置の発明は、標識灯の給電手段に対して標識灯と並列的に接続された全波整流装置と；全波整流装置の出力端子間に接続されたゲート付きの双方向性または単方向性の半導体素子と；半導体素子に並列的に接続され、標識灯のランプが不点になったときに給電手段に作用する交流電圧に応動して半導体素子のゲートに電圧を供給して半導体素子を導通させるように構成された電圧応動制御回路と；を具備していることを特徴とする。
【００１７】
給電手段は、例えば標識灯の入力端子が接続され、交流電源が供給されている給電端子である。
【００１８】
本発明によれば、標識用カットアウト装置の半導体素子は、標識灯のランプが不点になったときに、給電手段に作用する交流電圧に応動する電圧応動制御回路により導通される。そして、全波整流回路の出力端子間に発生する全波電圧により、半導体素子の主電極間、ゲートに印加される電圧の極性を常に同じにすることができるので、半導体素子のトリガー感度の相違によらず、全波電圧の低電圧時においても安定して導通する。これにより、標識灯のランプが不点になったときに給電手段の間が安定して短絡される。
【００１９】
請求項４に記載の標識灯用カットアウト装置の発明は、標識灯の給電手段に対して標識灯と並列的に接続されたゲート付きの双方向性または互いに逆方向に接続された一対の単方向性の半導体素子と；半導体素子に並列的に接続され、標識灯のランプが不点になったときに給電手段に作用する交流電圧に応動して半導体素子のゲートに電圧を供給して半導体素子を導通させるように構成された電圧応動制御回路と；半導体素子に並列的に接続されるとともに半導体素子の熱に応動するように配設され、半導体素子の表面温度が所定値以上のときに導通するサーモスタットと；を具備していることを特徴とする。
【００２０】
本発明によれば、標識灯用カットアウト装置の半導体素子は、標識灯のランプが不点になったときに給電手段に作用する交流電圧に応動する電圧応動制御回路により導通される。そして、半導体素子の表面温度が所定値以上になると、サーモスタットに電流が流れるようになり、半導体素子の温度上昇が防止されるとともに、給電手段の間の短絡が維持される。そして、半導体素子の温度が低下すると、サーモスタットは導通しなくなり、再び半導体素子により給電手段の間が短絡される。
【００２１】
請求項５に記載の標識灯装置の発明は、基台と；基台に装着された標識灯と；基台側に配設され、標識灯に接続して給電する給電手段と；基台側に配設された請求項３または４記載の標識灯用カットアウト装置と；を具備していることを特徴とする。
【００２２】
標識灯装置は、埋込形および地上形のいずれであってもよい。また、空港用、道路用など多用な用途のいずれであってもよい。
【００２３】
標識灯のランプは、ハロゲンランプなどの白熱ランプ、発光ダイオードなど、特に問わない。
【００２４】
本発明によれば、標識灯のランプが不点になったときに、標識灯用カットアウト装置が安定して導通する結果、給電手段の間が安定して短絡される標識灯装置が提供される。
【発明の効果】
【００２５】
請求項１の発明によれば、全波整流装置から出力される全波電圧により、半導体素子の主電極間、ゲートに印加される電圧の極性が常時同じにされるので、全波整流装置から出力された全波電圧の低電圧時においても、半導体素子は安定して導通でき、全波整流装置の入力端子が接続される交流電源の給電端子間を安定して短絡することができる。
【００２６】
請求項２の発明によれば、カットアウト装置の半導体素子が導通して表面温度が所定値以上になると、サーモスタットに電流が流れ、半導体素子の温度上昇が防止されるので、半導体素子の熱破壊を防止することができる。その結果、カットアウト装置は、安定して給電端子間を短絡することができる。
【００２７】
請求項３の発明によれば、標識灯のランプが不点になったときに、全波整流回路の出力端子間に発生する全波電圧により、半導体素子の主電極間、ゲートに印加される電圧の極性が常に同じにされるので、全波電圧の低電圧時においても、半導体素子は安定して導通し、給電手段の間を安定して短絡することができる。
【００２８】
請求項４の発明によれば、標識灯のランプが不点になったときに、標識灯用カットアウト装置の半導体素子は、給電手段に作用する交流電圧に応動する電圧応動制御回路により導通され、半導体素子の表面温度が所定値以上になると、サーモスタットに電流が流れるようになり、半導体素子の温度上昇が防止されるので、標識灯用カットアウト装置の信頼性を向上させることができる。
【００２９】
請求項５の発明によれば、標識灯のランプが不点になったときに、標識灯用カットアウト装置が安定して短絡される結果、給電手段の間が安定して短絡され、他の標識灯の動作を保護する標識灯装置を提供することができる。
【発明を実施するための最良の形態】
【００３０】
以下、本発明の一実施の形態について、図面を参照して説明する。まず、本発明の第１の実施形態について説明する。
【００３１】
図１〜図３は、本発明の第１の実施形態を示し、図１は航空標識灯の概略断面図、図２は航空標識灯の接続図、図３は標識灯用カットアウト装置であり、（ａ）は回路図、（ｂ）は他の構成の回路図である。なお、図３において、図５と同一部分には同一符号を付す。
【００３２】
図１において、標識灯装置１は、基台２、標識灯としての航空標識灯３、給電手段としての電気ケーブル４および標識灯用カットアウト装置５を有して構成されている。
【００３３】
基台２は、有底の略円筒状に形成され、地中に埋設されている。基台２は、航空標識灯３を装着している。
【００３４】
航空標識灯３は、標識灯本体６、プリズム７および反射鏡８付きのハロゲンランプ９を有して構成されている。標識灯本体６は、上部灯体１０および下部灯体１１からなり、図示しないボルト等を用いて覆合され、内部空間が形成されている。標識灯本体６は、基台２に図示しないボルト等を用いて固定されている。そして、上部灯体１０には、内部空間側から外部空間側に向かって斜め方向に略円柱状の光出射口１２が形成されている。
【００３５】
プリズム７は、少なくとも可視光が透過される強化ガラスからなり、上部灯体１０の光出射口１２の内壁に密接されるように配設されている。プリズム７は、ハロゲンランプ９からの放射光を所定の方向に出射させている。
【００３６】
そして、プリズム７および光出射口１２の内壁の間には、防水用部材としての筒状のガスケット１４がプリズム７を内包するようにして設けられている。
【００３７】
ハロゲンランプ９は、点灯装置１５により点灯が制御されている。この点灯装置１５は、下部灯体１１に配設されている。そして、点灯装置１５は、雄コネクタ１６付きの電気コード１７に接続されている。雄コネクタ１６の接続ピン１８，１８は、点灯装置１５すなわち航空標識灯１の入力端子を形成している。
【００３８】
給電手段としての電気ケーブル４は、定電流源の交流電圧を航空標識灯３に供給するものであり、基台２の側部２ａの貫通孔１９から基台２の内部空間に引き込まれている。図２に示すように、多数の航空標識灯３は、定電流源２０に対して電気ケーブル４を介して直列接続されている。電気ケーブル４は、定電流源２０の給電線２１に直列接続されたトランスＬＴの二次側に直列的に接続されている。そして、標識灯用カットアウト装置５は、航空標識灯３と並列的になるように、航空標識灯３の給電手段である電気ケーブル４に並列的に接続されている。
【００３９】
図１において、標識灯用カットアウト装置５は、円筒状絶縁ケース２２が基台２の底面に設けられた支持台２３に固定されている。円筒状絶縁ケース２２は、一端側に雌コネクタ２４、他端側に接続ピン２５，２５を有する雄コネクタ２６が設けられ、内部に電子回路が配設されている。雌コネクタ２４には、電気コード１７の雄コネクタ１６の接続ピン１８，１８が挿入され、雄コネクタ２６の接続ピン２５，２５は、電気ケーブル４の雌コネクタ４Ａに挿入されている。そして、雌コネクタ２４の給電端子（図示しない。）と雄コネクタ２６の接続ピン２５，２５は、円筒状絶縁ケース２２内で電気的に接続されている。これにより、航空標識灯３の入力端子である雄コネクタ１６の接続ピン１８，１８には、定電流源２０から交流電圧が供給され、点灯装置１５の制御によりハロゲンランプ９が点灯する。そして、標識灯用カットアウト装置５は、電気ケーブル４に対して航空標識灯３と並列的に接続されている。
【００４０】
標識灯用カットアウト装置５は、図３（ａ）に示すように、全波整流装置としての整流器２７、電圧応動制御回路２８およびゲートＧ付きの双方向性の半導体素子２９であるトライアックＴＲ１を有して構成されている。
【００４１】
整流器２７は、ダイオードブリッジからなり、当該入力端子が入力端子ｔ１，ｔ２に接続されている。入力端子ｔ１，ｔ２は、雄コネクタ２６の接続ピン２５，２５にそれぞれ電気接続している。そして、整流器２７の出力端子間にトライアックＴＲ１が接続され、さらに電圧応動制御回路２８が接続されている。
【００４２】
トライアックＴＲ１は、主電極としての第１の電極Ｔ１および第２の電極Ｔ２に対して双方向に電流が流れる。そして、ゲートＧに所定のゲート電圧が印加（供給）されると、導通し、保持電流以下となるまで導通が継続される。
【００４３】
電圧応動制御回路２８は、トライアックＴＲ１の主電極（Ｔ１，Ｔ２）間に接続された抵抗Ｒ１および抵抗Ｒ２の直列回路と、抵抗Ｒ１および抵抗Ｒ２の中点Ａ１とトライアックＴＲ１のゲートＧとの間に接続されたトリガーダイオードＴＤ１を有して構成されている。電圧応動制御回路２８は、トライアックＴＲ１に並列的に接続されている。そして、電圧応動制御回路２８は、整流器２７の出力端子に発生した全波電圧を抵抗Ｒ１および抵抗Ｒ２で分圧し、抵抗Ｒ２の両端電圧が所定値（トリガー電圧）に上昇すると、トリガーダイオードＴＤ１が導通して、トリガー電圧をトライアックＴＲＴ１のゲートＧに供給してトライアックＴＲ１を導通させる。
【００４４】
航空標識灯３のハロゲンランプ９が点灯していると、航空標識灯３と並列的に接続している一対の入力端子ｔ１，ｔ２間の電圧は相対的に低く、抵抗Ｒ２の両端間に発生する電圧は、所定値（トリガー電圧）以下となっている。しかし、航空標識灯３のハロゲンランプ９が不点になると、電気ケーブル４のコネクタ４Ａの給電端子に、すなわち一対の入力端子ｔ１，ｔ２に、ハロゲンランプ９の点灯時よりも相対的に高電圧（所定電圧以上の交流電圧）が発生するようになる。このとき、抵抗Ｒ２の両端電圧が所定値（トリガー電圧）以上になるように、当該抵抗値などが予め設定されている。そして、抵抗Ｒ２の両端電圧がトリガーダイオードＴＤ１を介してトライアックＴＲ１のゲートＧに印加されると、トライアックＴＲ１が導通する。
【００４５】
このように、電圧応動制御回路２８は、航空標識灯３のハロゲンランプ９が不点となったときに、電気ケーブル４の給電端子に作用する交流電圧に応動してトライアックＴＲ１のゲートＧにトリガー電圧を供給してトライアックＴＲ１を導通させるように構成されている。
【００４６】
トライアックＴＲ１は、整流器２７の全波電圧が主電極Ｔ２，Ｔ１間に印加され、常時、主電極Ｔ２側から主電極Ｔ１側に電流が流れる。すなわち、常に、主電極Ｔ２側が正の電圧、主電極Ｔ１側が負の電圧になっている。そして、抵抗Ｒ２の両端において、トライアックＴＲ１の第１の電極Ｔ１側よりも中点Ａ１側の電圧が高いので、トライアックＴＲ１のゲートＧには、常時、正の電圧が印加される。すなわち、トライアックＴＲ１の主電極Ｔ１，Ｔ２間、ゲートＧに印加される電圧極性が常に同じであり、このときの電圧極性は、トライアックＴＲ１を導通させるオンタイミングを早くするものである。したがって、整流器２７の全波電圧の低電圧時においても、すなわち電気ケーブル４の給電端子に作用する交流電圧の低電圧時においても安定して導通するようになる。
【００４７】
そして、標識灯用カットアウト装置５と直列接続されている他の航空標識灯３への通電期間の停止が最小限に抑制され、航空標識灯３からの明るさが維持される。
【００４８】
そして、整流器２７は、全波電圧を発生し、正極側の出力端子から負極側の出力端子に電流が流れているので、双方向性のトライアックＴＲ１に代えて、図３（ｂ）に示すように、単方向性のサイリスタＳＣＲ１の半導体素子２９Ａを用いることができる。図３（ｂ）に示す標識灯用カットアウト装置３０は、サイリスタＳＣＲ１の主電極としてのアノードを整流器２７の正極側の出力端子に接続し、主電極としてのカソードを負極側の出力端子に接続したものであり、標識灯用カットアウト装置５と同様な作用、効果が得られる。
【００４９】
なお、上記第１の実施形態において、標識灯として埋込形の航空標識灯３を用いて説明したが、これらに限らず、埋込形、露出形を問わず、道路用、信号用など、屋外に設置される標識灯であればよい。
【００５０】
次に、本発明の第２の実施形態について述べる。
【００５１】
図４は、本発明の第２の実施形態を示す標識灯用カットアウト装置であり、（ａ）は回路図、（ｂ）は他の構成の回路図である。なお、図３と同一部分には同一符号を付して説明は省略する。
【００５２】
図４（ａ）に示す標識灯用カットアウト装置３１は、図３（ａ）に示す標識灯用カットアウト装置５において、整流器２７を設けず、トライアックＴＲ１に並列的に（主電極Ｔ１，Ｔ２間に）サーモスタット３２を接続している。
【００５３】
サーモスタット３２は、トライアックＴＲ１の表面に密着または密接させてトライアックＴＲ１の熱に応動するように配設されている。そして、トライアックＴＲ１の表面温度が所定値以上、例えば８０℃以上のときに導通し、一旦導通すると、トライアックＴＲ１の表面温度が例えば７０℃以下となったときに非導通するように形成されている。
【００５４】
電圧応動制御回路２８は、一対の入力端子ｔ１，ｔ２間に直接的に接続されている。そして、航空標識灯３のハロゲンランプ９が点灯しているときは、トライアックＴＲ１を導通させないが、航空標識灯３のハロゲンランプ９が不点になると、入力端子ｔ１，ｔ２間に発生する高電圧に応動してトライアックＴＲ１のゲートＧにトリガー電圧を供給してトライアックＴＲ１を導通させる。トライアックＴＲ１が導通することにより、一対の入力端子ｔ１，ｔ２間が短絡される。
【００５５】
トライアックＴＲ１が導通すると、トライアックＴＲ１は、発熱するようになる。そして、トライアックＴＲ１の表面温度が８０℃（所定値）以上になると、サーモスタット３２が導通し、一対の入力端子ｔ１，ｔ２を短絡する。このとき、サーモスタット３２に電流が流れ、トライアックＴＲ１に電流がほとんど流れなくなる。サーモスタット３２は、ほとんど発熱しないので、トライアックＴＲ１の温度が徐々に低下していく。そして、トライアックＴＲ１の表面温度が７０℃以下になると、サーモスタット３２が導通しなくなる。サーモスタット３２が導通しなくなると、トライアックＴＲ１が導通する。このように、トライアックＴＲ１は、表面温度が８０℃（所定値）以上に温度上昇することが防止されるので、トライアックＴＲ１の熱破壊が防止される。この結果、標識灯用カットアウト装置３１により、安定して一対の入力端子ｔ１，ｔ２（電気ケーブル４の給電端子）間が短絡される。すなわち、標識灯用カットアウト装置３１の信頼性が向上される。
【００５６】
図４（ｂ）に示す標識灯用カットアウト装置３１は、図４（ａ）に示す標識灯用カットアウト装置３１において、双方向性のトライアックＴＲ１に代えて、ゲート付きの互いに逆方向に接続された一対の単方向性の半導体素子２９Ａ，２９ＡであるサイリスタＳＣＲ１，ＳＣＲ１を接続したものである。そして、サーモスタット３２は、一対のサイリスタＳＣＲ１，ＳＣＲ１のそれぞれの表面に密着するように挟持されて配設されている。
【００５７】
一対のサイリスタＳＣＲ１，ＳＣＲ１は、図４（ａ）に示す標識灯用カットアウト装置３１のトライアックＴＲ１と同様に、表面温度が所定値以上に温度上昇することが防止されて、熱破壊が防止される。この結果、標識灯用カットアウト装置３３は、安定して一対の入力端子ｔ１，ｔ２（電気ケーブル４の給電端子）間を短絡するとともに、その信頼性が向上される。
【００５８】
なお、第１の実施形態の標識灯用カットアウト装置５，３０および第２の実施形態の標識灯用カットアウト装置３１，３３は、汎用の電気機器のカットアウト装置としても使用できるものである。すなわち、一対の入力端子ｔ１，ｔ２間に所定電圧以上の交流電圧が入力されたときに、トライアックＴＲ１またはサイリスタＳＣＲ１の半導体素子２９，２９Ａを導通させるカットアウト装置に構成してもよい。
【図面の簡単な説明】
【００５９】
【図１】本発明の第１の実施形態を示す航空標識灯の概略断面図。
【図２】同じく、航空標識灯の接続図。
【図３】同じく、標識灯用カットアウト装置であり、（ａ）は回路図、（ｂ）は他の構成の回路図。
【図４】本発明の第２の実施形態を示す標識灯用カットアウト装置であり、（ａ）は回路図、（ｂ）は他の構成の回路図。
【図５】従来技術の標識灯用カットアウト装置の回路図。
【符号の説明】
【００６０】
ＴＲ１…双方向性の半導体素子としてのトライアック
ＳＣＲ１…単方向性の半導体素子としてのサイリスタ
１…標識灯装置
２…基台
３…標識灯としての航空標識灯
４…給電手段としての電気ケーブル
５，３０，３１，３３…標識灯用カットアウト装置（カットアウト装置）
２７…全波整流装置としての整流器
２８…電圧応動制御回路
３２…サーモスタット
【図１】
2006094418.tif 000003
【図２】
2006094418.tif 000004
【図３】
2006094418.tif 000005
【図４】
2006094418.tif 000006
【図５】
2006094418.tif 000007